(57)【要約】【課題】防護服の着用者に対し、作業性・運動性を損なうことなく十分な冷却効果を発揮でき、作業効率を格段と向上させることができる。【解決手段】本発明は、外部環境の影響から着用者を防護する防護服であって、吸入した空気を冷却するための冷却装置を備え、冷却装置は、吸入した空気を冷却する冷却部と、電源部から供給される電力によって駆動され、吸入した空気を、筐体内外を貫通する吹出口に冷却部を介して導く送風手段とを備え、冷却部は、断熱材に覆われているとともに、冷却装置の筐体内部に着脱自在に設けられており、冷却部は、長手方向の両端部に開口を設けた中空構造を有し、短手方向に沿って交互に傾斜した複数の隔壁を備えた冷却フィンと、冷却フィンの外周を覆うように配設されるケースと、冷却フィンとケースとの間に充填され、冷却フィンの内部を通過する空気を冷却する冷却剤とを含む。【選択図】図１
2015063785.tif 000002
【特許請求の範囲】
【請求項１】
吸入した空気を冷却するための冷却装置を備えた防護服であって、
前記冷却装置は、
装置本体を形成する筺体と、
前記筺体内部に着脱自在に配設され、流入された空気を冷却する冷却部と、
前記冷却部に接続され、前記筺体外部から吸入した空気を、当該冷却部を介して送風する送風手段と、
前記筺体内部に配設され、前記送風手段を駆動させるための電源部と、
前記筺体の内外を貫通して配設され、前記筺体内部側に位置する端部に接続された前記冷却部から送風される冷却された空気を、前記筺体外部側に位置する端部から放出する吹出口と、
前記筺体内部に設けられ、前記冷却部を覆うように配置される断熱材と
を備え、
前記冷却部は、
長手方向の両端部に開口を有した中空構造からなり、内部の短手方向に沿って交互に傾斜した複数の隔壁を有する冷却フィンと、
前記冷却フィンの外周を覆うように配設されるケースと、
前記冷却フィンとケースとの間に介在するように充填され、前記冷却フィン内を通過する空気を冷却するための冷却剤とを備えたことを特徴とする防護服。
【請求項２】
外部環境の影響から着用者を防護する防護服であって、
吸入した空気を冷却するための冷却装置を備え、
前記冷却装置は、
前記吸入した空気を冷却する冷却部と、
電源部から供給される電力によって駆動され、前記吸入した空気を、筐体内外を貫通する吹出口に前記冷却部を介して導く送風手段とを備え、
前記冷却部は、断熱材に覆われているとともに、前記冷却装置の筐体内部に着脱自在に設けられており、
前記冷却部は、長手方向の両端部に開口を設けた中空構造を有し、短手方向に沿って交互に傾斜した複数の隔壁を備えた冷却フィンと、前記冷却フィンの外周を覆うように配設されるケースと、前記冷却フィンと前記ケースとの間に充填され、前記冷却フィンの内部を通過する空気を冷却する冷却剤とを含むことを特徴とする防護服。
【請求項３】
前記防護服は、前記冷却装置を当該防護服の内側に内包するように、当該冷却装置を備えたことを特徴とする請求項１または２に記載の防護服。
【請求項４】
前記冷却部は、空気を取り込む吸気口に接続されており、
前記冷却装置は、前記送風手段によって前記吸気口から取り込まれた空気が、前記冷却部から当該送風手段を経由して、前記吹出口に吹き出される構造を有していることを特徴とする請求項１から３のいずれか１項に記載の防護服。
【請求項５】
前記冷却剤は、凍結性ゲルを含むことを特徴とする請求項１から４のいずれか１項に記載の防護服。
【請求項６】
前記冷却剤は、前記凍結性ゲルに、少なくともケイ素、ストロンチウム、マグネシウム、ユーロピウムおよびジスプロシウムを必須元素とし、少なくともケイ素酸化物、炭酸ストロンチウム、酸化マグネシウム、酸化ユーロピウムおよび酸化ジスプロシウムを焼成して得られる組成物を、所定の比率で配合したものであることを特徴とする請求項５に記載の防護服。
【請求項７】
前記冷却フィンの前記短手方向に沿って交互に傾斜した複数の隔壁は、鋸刃形状をなしているとともに、平面に対して直交する鉛直方向に積層された多段構造になっていることを特徴とする請求項１から６のいずれか１項に記載の防護服。
【請求項８】
前記冷却フィンの前記短手方向に沿って交互に傾斜した複数の隔壁は、各々断面矩形状をなしており、平面に対して直交する鉛直方向に拡大された巾広構造になっていることを特徴とする請求項１から６のいずれか１項に記載の防護服。
【請求項９】
前記冷却部は、前記冷却フィンの両端部に、それぞれジョイント部を介して前記送風手段と、吸気口または前記吹出口とが接続可能となっていることを特徴とする請求項１から８のいずれか１項に記載の防護服。
【請求項１０】
マスクと前記防護服の着用者の頭部に対応する位置に設けられる帽体とが、一体的に構成されたヘルメットマスクをさらに備えたことを特徴とする請求項１から９のいずれか１項に記載の防護服。
【請求項１１】
前記防護服の着用者の腕に対応する位置に設けられる腕部と、
前記腕部に取り付けられる手袋とをさらに備えたことを特徴とする請求項１から１０のいずれか１項に記載の防護服。
【請求項１２】
前記腕部と前記手袋とが互いに当接する当接部材を含む腕連結部をさらに備え、
前記腕連結部は、前記当接部材を互いに嵌め合わせることによって、または、当該当接部材に設けられた固定部材を用いて固定することによって、前記手袋を前記腕部に着脱自在に連結することを特徴とする請求項１１に記載の防護服。
【請求項１３】
前記腕部の袖は、外袖および内袖の多重構造を有していることを特徴とする請求項１１に記載の防護服。
【請求項１４】
前記腕部の袖には、複数のスペーサーが設けられることを特徴とする請求項１１から１３のいずれか１項に記載の防護服。
【請求項１５】
前記防護服の着用者の脚に対応する位置に設けられる脚部と、
前記脚部に取り付けられる長靴とをさらに備えたことを特徴とする請求項１から１４のいずれか１項に記載の防護服。
【請求項１６】
前記脚部と前記長靴とが互いに当接する当接部材を含む脚連結部をさらに備え、
前記脚連結部は、前記当接部材を互いに嵌め合わせることによって、または、当該当接部材に設けられた固定部材を用いて固定することによって、前記長靴を前記脚部に着脱自在に連結することを特徴とする請求項１５に記載の防護服。
【請求項１７】
前記脚部の裾は、外裾および内裾の多重構造を有していることを特徴とする請求項１５に記載の防護服。
【請求項１８】
前記脚部の裾には、複数のスペーサーが設けられることを特徴とする請求項１５から１７のいずれか１項に記載の防護服。
【請求項１９】
前記防護服は、遮熱効果および／または断熱効果を発揮する所定の素材を用いて製作されることを特徴とする請求項１から１８のいずれか１項に記載の防護服。
【請求項２０】
前記冷却装置によって冷却された空気を前記防護服の内部に循環させるために、当該冷却された空気を一時的に蓄積する保冷部をさらに備えたことを特徴とする請求項１から１９のいずれか１項に記載の防護服。
【請求項２１】
前記冷却装置と前記保冷部とを連通する連通手段をさらに備えたことを特徴とする請求項２０に記載の防護服。
【請求項２２】
前記保冷部は、前記防護服の着用者の首周辺、肩胸周辺、および／または腰周辺に対応する位置に設けられることを特徴とする請求項２０または２１に記載の防護服。
【請求項２３】
前記送風手段は、ファンの回転速度を変化させることによって、前記冷却された空気が前記吹出口から吹き出される量を調節可能であることを特徴とする請求項１から２２のいずれか１項に記載の防護服。
【請求項２４】
前記筺体には、パッド部が配設されていることを特徴とする請求項１から２３のいずれか１項に記載の防護服。
【請求項２５】
前記冷却装置の使用者に給水する水を貯水可能な水筒部をさらに備えたことを特徴とする請求項１から２４のいずれか１項に記載の防護服。
【発明の詳細な説明】
【技術分野】
【０００１】
本発明は、外部環境の影響から着用者を防護する防護服に関するものである。
【背景技術】
【０００２】
従来から、作業者の全身を覆う防護服としては、衣服本体の内面に複数のスペーサーを取り付けることによって、衣服本体と身体または下着との間に空気を流通させるための空気流通路を形成した空調衣服が知られている（例えば、特許文献１参照）。上記構成により、上記防護服は、除湿機能を有し、発汗による着用者の不快感を軽減できる。
【先行技術文献】
【特許文献】
【０００３】
【特許文献１】国際公開第２００５／０８２１８２号（２００５年９月９日公開）
【発明の概要】
【発明が解決しようとする課題】
【０００４】
しかし、特許文献１に記載の空調衣服は、例えば、クレーンのオペレータ、製鉄や製鋼現場での作業者、ガラスやその他の窯業関係の作業者、または毒性の強い化学物質や細菌物質等で汚染された環境下で作業する作業者などのように、過酷な温熱環境下で作業する者が着用する空調衣服としては冷却効果が不十分であり、着用者に対して十分な冷感を与えることが困難であった。したがって、上記過酷な温熱環境下で作業する作業者のために、その作業効率の向上を図るべく、作業性・運動性を損なうことなく冷感を得る技術の開発が望まれている。
【０００５】
本発明は、上述した事情に鑑みてなされたものであり、防護服の着用者に対し、作業性・運動性を損なうことなく十分な冷却効果を発揮でき、作業効率を格段と向上させることができる防護服を提供することを目的とする。
【課題を解決するための手段】
【０００６】
上記課題を解決するために、本発明の一態様に係る防護服は、吸入した空気を冷却するための冷却装置を備えた防護服であって、冷却装置は、装置本体を形成する筺体と、筺体内部に着脱自在に配設され、流入された空気を冷却する冷却部と、冷却部に接続され、筺体外部から吸入した空気を、当該冷却部を介して送風する送風手段と、筺体内部に配設され、送風手段を駆動させるための電源部と、筺体の内外を貫通して配設され、筺体内部側に位置する端部に接続された冷却部から送風される冷却された空気を、筺体外部側に位置する端部から放出する吹出口と、筺体内部に設けられ、冷却部を覆うように配置される断熱材とを備え、冷却部は、長手方向の両端部に開口を有した中空構造からなり、内部の短手方向に沿って交互に傾斜した複数の隔壁を有する冷却フィンと、冷却フィンの外周を覆うように配設されるケースと、冷却フィンとケースとの間に介在するように充填され、冷却フィン内を通過する空気を冷却するための冷却剤とを備える。
【０００７】
上記課題を解決するために、本発明の一態様に係る防護服は、外部環境の影響から着用者を防護する防護服であって、吸入した空気を冷却するための冷却装置を備え、冷却装置は、吸入した空気を冷却する冷却部と、電源部から供給される電力によって駆動され、吸入した空気を、筐体内外を貫通する吹出口に冷却部を介して導く送風手段とを備え、冷却部は、断熱材に覆われているとともに、冷却装置の筐体内部に着脱自在に設けられており、冷却部は、長手方向の両端部に開口を設けた中空構造を有し、短手方向に沿って交互に傾斜した複数の隔壁を備えた冷却フィンと、冷却フィンの外周を覆うように配設されるケースと、冷却フィンとケースとの間に充填され、冷却フィンの内部を通過する空気を冷却する冷却剤とを含む。
【０００８】
また、本発明の一態様に係る防護服は、冷却装置を当該防護服の内側に内包するように、当該冷却装置を備えてよい。
【０００９】
また、本発明の一態様に係る防護服において、冷却部は、空気を取り込む吸気口に接続されており、冷却装置は、送風手段によって吸気口から取り込まれた空気が、冷却部から当該送風手段を経由して、吹出口に吹き出される構造を有してよい。
【００１０】
また、本発明の一態様に係る防護服において、冷却剤は、凍結性ゲルを含んでよい。
【００１１】
また、本発明の一態様に係る防護服において、冷却剤は、凍結性ゲルに、少なくともケイ素、ストロンチウム、マグネシウム、ユーロピウムおよびジスプロシウムを必須元素とし、少なくともケイ素酸化物、炭酸ストロンチウム、酸化マグネシウム、酸化ユーロピウムおよび酸化ジスプロシウムを焼成して得られる組成物を、所定の比率で配合したものであってよい。
【００１２】
また、本発明の一態様に係る防護服において、冷却フィンの短手方向に沿って交互に傾斜した複数の隔壁は、鋸刃形状をなしているとともに、平面に対して直交する鉛直方向に積層された多段構造になっていてよい。
【００１３】
また、本発明の一態様に係る防護服において、冷却フィンの短手方向に沿って交互に傾斜した複数の隔壁は、各々断面矩形状をなしており、平面に対して直交する鉛直方向に拡大された巾広構造になっていてよい。
【００１４】
また、本発明の一態様に係る防護服において、冷却部は、冷却フィンの両端部に、それぞれジョイント部を介して送風手段と、吸気口または吹出口とが接続可能となっていてよい。
【００１５】
また、本発明の一態様に係る防護服は、マスクと防護服の着用者の頭部に対応する位置に設けられる帽体とが、一体的に構成されたヘルメットマスクをさらに備えてよい。
【００１６】
また、本発明の一態様に係る防護服は、防護服の着用者の腕に対応する位置に設けられる腕部と、腕部に取り付けられる手袋とをさらに備えてよい。
【００１７】
また、本発明の一態様に係る防護服は、腕部と手袋とが互いに当接する当接部材を含む腕連結部をさらに備え、腕連結部は、当接部材を互いに嵌め合わせることによって、または、当該当接部材に設けられた固定部材を用いて固定することによって、手袋を腕部に着脱自在に連結することができる。
【００１８】
また、本発明の一態様に係る防護服において、腕部の袖は、外袖および内袖の多重構造を有してよい。
【００１９】
また、本発明の一態様に係る防護服において、腕部の袖には、複数のスペーサーが設けられてよい。
【００２０】
また、本発明の一態様に係る防護服は、防護服の着用者の脚に対応する位置に設けられる脚部と、脚部に取り付けられる長靴とをさらに備えてよい。
【００２１】
また、本発明の一態様に係る防護服は、脚部と長靴とが互いに当接する当接部材を含む脚連結部をさらに備え、脚連結部は、当接部材を互いに嵌め合わせることによって、または、当該当接部材に設けられた固定部材を用いて固定することによって、長靴を脚部に着脱自在に連結することができる。
【００２２】
また、本発明の一態様に係る防護服において、前記脚部の裾は、外裾および内裾の多重構造を有してよい。
【００２３】
また、本発明の一態様に係る防護服において、脚部の裾には、複数のスペーサーが設けられてよい。
【００２４】
また、本発明の一態様に係る防護服は、遮熱効果および／または断熱効果を発揮する所定の素材を用いて製作されてよい。
【００２５】
また、本発明の一態様に係る防護服は、冷却装置によって冷却された空気を防護服の内部に循環させるために、当該冷却された空気を一時的に蓄積する保冷部をさらに備えてよい。
【００２６】
また、本発明の一態様に係る防護服は、冷却装置と保冷部とを連通する連通手段をさらに備えてよい。
【００２７】
また、本発明の一態様に係る防護服において、保冷部は、防護服の着用者の首周辺、肩胸周辺、および／または腰周辺に対応する位置に設けられることができる。
【００２８】
また、本発明の一態様に係る防護服において、送風手段は、ファンの回転速度を変化させることによって、冷却された空気が吹出口から吹き出される量を調節可能であってよい。
【００２９】
また、本発明の一態様に係る防護服において、筺体には、パッド部が配設されていてよい。
【００３０】
また、本発明の一態様に係る防護服は、冷却装置の使用者に給水する水を貯水可能な水筒部をさらに備えてよい。
【発明の効果】
【００３１】
本発明の一態様に係る防護服によれば、当該防護服の着用者に対し、作業性・運動性を損なうことなく十分な冷却効果を発揮でき、作業効率を格段と向上させることができるという効果を奏する。
【図面の簡単な説明】
【００３２】
【図１】本発明の実施形態に係る防護服の正面図であり、（ａ）は、当該防護服を装着してから冷却装置を装着した場合を示し、（ｂ）は、当該冷却装置を装着してから、当該冷却装置を覆うように、当該防護服を装着した場合を示す。
【図２】上記防護服の左側面図であり、（ａ）は、当該防護服を装着してから冷却装置を装着した場合を示し、（ｂ）は、当該冷却装置を装着してから、当該冷却装置を覆うように、当該防護服を装着した場合を示す。
【図３】上記防護服の背面図であり、（ａ）は、当該防護服を装着してから冷却装置を装着した場合を示し、（ｂ）は、当該冷却装置を装着してから、当該冷却装置を覆うように、当該防護服を装着した場合を示す。
【図４】上記防護服が備えた冷却装置の平面図である。
【図５】上記冷却装置の側面図である。
【図６】上記冷却装置の背面図である。
【図７】（ａ）は、送風手段を吹出口から遠い位置に配置した構造を有する上記冷却装置の上面図であり、（ｂ）は、送風手段を吹出口から近い位置に配置した構造を有する上記冷却装置の上面図である。
【図８】（ａ）は、送風手段を吹出口から遠い位置に配置した構造を有する上記冷却装置の底面図であり、（ｂ）は、送風手段を吹出口から近い位置に配置した構造を有する上記冷却装置の底面図である。
【図９】（ａ）は、送風手段を吹出口から遠い位置に配置した構造を有する上記冷却装置を、部分的断面で示す平面図であり、（ｂ）は、送風手段を吹出口から近い位置に配置した構造を有する上記冷却装置を、部分的断面で示す平面図である。
【図１０】（ａ）は、図９の（ａ）に示される冷却装置のＡ−Ａ線矢視断面図であり、（ｂ）は、図９の（ｂ）に示される冷却装置のＡ−Ａ線矢視断面図である。
【図１１】（ａ）は、図９の（ａ）に示される冷却装置のＢ−Ｂ線矢視断面図であり、（ｂ）は、図９の（ｂ）に示される冷却装置のＢ−Ｂ線矢視断面図である。
【図１２】（ａ）は、図９の（ａ）に示される冷却装置のＣ−Ｃ線矢視断面図であり、（ｂ）は、図９の（ｂ）に示される冷却装置のＣ−Ｃ線矢視断面図である。
【図１３】上記冷却装置に含まれる冷却部を示し、（ａ）は、当該冷却部の側面図であり、（ｂ）は、当該冷却部の平面図である。
【図１４】上記冷却部の概略断面図を示し、（ａ）は、当該冷却部の側面断面図であり、（ｂ）は、当該冷却部の平面断面図である。
【図１５】上記冷却部に、冷却剤を充填する様子を示した断面図であり、（ａ）は、充填中の様子を示し、（ｂ）は、充填完了後の様子を示す。
【図１６】上記冷却部の冷却フィンを示し、（ａ）は当該冷却フィンを示す平面図、（ｂ）〜（ｄ）は他の実施形態における冷却フィンをそれぞれ示す平面図である。
【図１７】本発明の実施形態に係る防護服を示す模式図であり、（ａ）は、右側面図を示し、（ｂ）は、肩部の拡大図を示し、（ｃ）は、腰部の拡大図を示す。
【図１８】本発明の実施形態に係る防護服を示す模式図であり、（ａ）は、正面図を示し、（ｂ）は、右側面図を示す。
【図１９】本発明の実施形態に係る防護服が備えた防塵マスクを装着した状態における、頭部の部分断面図である。
【図２０】帽体とマスクとを一体的に備えたヘルメットマスクの正面図である。
【図２１】（ａ）は、上記ヘルメットマスクの側面図であり、（ｂ）は、当該ヘルメットマスクの断面図である。
【図２２】上記防護服と上記ヘルメットマスクとを連結する部分（首回り）の断面構造の一例を示す断面図であり、（ａ）は、スライド固定方式を採用した場合の断面構造を示し、（ｂ）は、固定部材方式を採用した場合の断面構造を示す。
【図２３】本発明の実施形態に係る防護服が備えた手袋を装着した状態における、腕部と手袋とを示す模式図である。
【図２４】本発明の実施形態に係る防護服が備えた長靴を装着した状態における、脚部と長靴とを示す模式図である。
【図２５】本発明の実施形態に係る防護服が備えた手袋を装着した状態における、腕部と手袋とを示す模式図である。
【図２６】本発明の実施形態に係る防護服が備えた長靴を装着した状態における、脚部と長靴とを示す模式図である。
【図２７】本発明の実施形態に係る防護服が備えた手袋を装着した状態における、腕部と手袋とを示す模式図である。
【図２８】本発明の実施形態に係る防護服が備えた長靴を装着した状態における、脚部と長靴とを示す模式図である。
【図２９】腕部と手袋とを連結する連結部の構成の一例を示す模式図である。
【図３０】（ａ）は、本発明の実施形態に係る防護服が備えた手袋を装着した状態における、腕部と手袋とを示す模式図であり、（ｂ）は、上記連結部の断面構造の一例を示す断面図である。
【図３１】（ａ）は、本発明の実施形態に係る防護服が備えた手袋を装着した状態における、腕部と手袋とを示す模式図であり、（ｂ）は、上記連結部の断面構造の一例を示す断面図である。
【図３２】脚部と長靴とを連結する連結部の構成の一例を示す模式図である。
【図３３】（ａ）は、本発明の実施形態に係る防護服が備えた長靴を装着した状態における、脚部と長靴とを示す模式図であり、（ｂ）は、連結部の断面構造の一例を示す断面図である。
【図３４】（ａ）は、本発明の実施形態に係る防護服が備えた長靴を装着した状態における、脚部と長靴とを示す模式図であり、（ｂ）は、上記連結部の断面構造の一例を示す断面図である。
【発明を実施するための形態】
【００３３】
＜防護服１００＞
本発明の第１の実施形態に係る防護服１００について、図面を参照しながら説明する。図１〜図３は、上記防護服１００を模式的に示した図である。ここで、図１は正面図であり、図２は左側面図であり、図３は背面図である。図１〜図３に示されるように、上記防護服１００は、外部環境の影響から着用者を防護する服である。そして、当該防護服１００は、吸入した空気を冷却するための冷却装置１１０を備えている。
【００３４】
上記冷却装置１１０は、外部から吸入した空気を冷却し、防護服１００の内部に当該冷却した空気（以下「冷却風」という）を送風することによって、当該防護服１００の着用者を冷却可能な装置である。すなわち、上記冷却装置１１０は、防護服１００の内部の空気を吸気口１１８から吸い込み、送風手段１１３によって冷却部１１２を介して循環させることによって、当該防護服１００の着用者の身体を効果的に冷却できる。
【００３５】
なお、図１〜図３は、説明のため、防護服１００の内部構造を理解できるように、当該防護服１００を示している。また、図１〜図３の（ａ）は、防護服１００を装着してから（すなわち、当該防護服１００の上から）、上記冷却装置１１０を装着する態様をそれぞれ示し、図１〜図３の（ｂ）は、上記冷却装置１１０を覆うように（すなわち、当該冷却装置１１０の上から）、防護服１００を装着する態様をそれぞれ示す。
【００３６】
言い換えれば、上記「防護服を装着する」には、上記冷却装置１１０が防護服１００の内部に含まれる場合（図１〜図３の（ｂ））と、防護服１００の外部に露出する場合（図１〜図３の（ａ））とが含まれる。外気から遮断される（遮熱効果および／または断熱効果がある）ため、前者の場合（図１〜図３の（ｂ））の方が冷却装置１１０の冷却効果を大きく得ることができる。なお、前者の場合、冷却装置１１０を防護服１００の内部に収納できるように、当該防護服１００にはたぐりを設けることが好ましい。
【００３７】
防護服１００は、外衣（生地の色はシルバーでよい）と中衣との多層（２層）構造を有し、フードから上半身および下半身にかけて一体型の構成であってよい。上記防護服１００は、例えば、難燃性を有する特殊繊維（例えば、アラミドなどの化学繊維）を金属蒸着（例えば、アルミニウム蒸着）させて製作されてよい。これにより、当該防護服１００は、耐熱性・難燃性に優れるだけでなく、外部からの不純物が繊維に付着し難くする（防塵効果を発揮する）ことができる。
【００３８】
または、防護服１００は、外層、中層、および内層の３層構造を有してもよい。この場合、（１）主に特殊繊維を用いて製作される構成と、（２）主にゴムを用いて製作される構成とが考えられる。前者（上記（１）の構成）の場合、上記外層は、特殊繊維（例えば、メタ系アラミド繊維）をアルミゴムトッピング加工することによって製作され、上記中層は、その一部または全部が断熱材を用いて製作され、上記内層は、上記特殊繊維を用いて製作されてよい。後者（上記（２）の構成）の場合、上記外層は、所定のゴム（例えば、アルミニウム粉末を含有した難燃性ゴム）をプレス成形、または射出成形することによって製作され、上記中層は、その一部または全部が断熱材を用いて製作され、上記内層は、上記所定のゴムをプレス成形、または射出成形することによって製作されてよい。
【００３９】
上記（１）および（２）のいずれの場合であっても、防護服１００は、耐熱性・難燃性に優れ、外部からの不純物が当該防護服１００の表面に付着し難くする（防塵効果を発揮する）ことができるだけでなく、遮熱性（高断熱性）・防水性・気密性に優れた効果を得ることができる。特に、後者（上記（２）の構成）の場合であって、上記外層にアルミニウム粉末を含有した難燃性ゴムを使用した場合、防護服１００は、赤外線（輻射熱）を反射することによって、より大きな遮熱性を実現することができる。また、上記中層に断熱材を用いた場合、防護服１００は、着用者の動きやすさを改善するとともに、優れた断熱性をさらに実現することができる。
【００４０】
上記防護服１００は、現場における作業に耐え得る強度を確保できるように縫製されていることが好ましい。糸調子は縫い曲がりがないようにし、縫い目の目飛び、ほつれ、弛みなどがないように各部（フード、上衣、ズボン）を縫製することが好ましい。なお、防水性を高めるために、縫い目を極力少なくして縫製することが好ましい。または、縫い目にシームテープを用いてもよい。
【００４１】
また、上記防護服１００の内部にチリ・ホコリなどが入らないように、着用者の頭部を覆うフードの周りには所定の防護材（例えば、難燃ゴム板）を取り付け、後述するマスクを（例えば、マジックテープ（登録商標）または粘着テープなどを用いて）固定できるようにしてよい。
【００４２】
防護服１００の身頃は、例えば、前身頃および後身頃を、頭部（フード）、肩部、および太腿部において連結させる構造としてよい。上記前身頃は、例えば、ファスナー（着用者が防護服１００を着用しやすい長さとなることが好ましい）を用いて開閉可能とし、身頃に前立てを取り付ける構造であってよい。上記後身頃は、例えば、Ｕ型またはＩ型ファスナーを用いて開閉可能とし、前述したように、冷却装置１１０を収納可能にするたぐりを設けることが好ましい。
【００４３】
冷却装置１１０から伸びる連通手段１３０（例えば、ダクト、冷却ホースなど）を通せるように、着用者の肩と防護服１００の内衣との間に、所定の材料（例えば、発泡ウレタン状の材料）を用いて、当該防護服１００の肩部に空間を設けることが好ましい。これにより、防護服１００は、外部から与えられた衝撃を吸収することができる。また、上記連通手段１３０の先端に保冷部１２０が取り付けられるため、例えば、マジックテープなどを用いて当該保冷部１２０を固定することが好ましい。
【００４４】
防護服１００の胸部から衿部分（首回り）にかけてたぐりを設け、喉周りの衿をたぐって後述するマスクに（例えば、マジックテープを用いて）固定することが好ましい。したがって、上記衿部分は、常に立てた状態で上記防護服１００を使用することが好ましい。これにより、防護服１００は、その内部にチリ・ホコリなどが入ることを防ぐことができる。
【００４５】
＜冷却装置１１０＞
冷却装置１１０の詳細について説明する。図４〜図８は、上記冷却装置１１０を模式的に示した図である。ここで、図４は平面図であり、図５は側面図であり、図６は背面図であり、図７は上面図であり、図８は底面図である。また、図９〜図１２は、上記冷却装置１１０の断面を模式的に示した図である。ここで、図９は平面図であり、図１０は図９のＡ−Ａ線矢視断面図であり、図１１は図９のＢ−Ｂ線矢視断面図であり、図１２は図９のＣ−Ｃ線矢視断面図である。
【００４６】
図４〜図１２（特に図９）に示されるように、上記冷却装置１１０は、筐体１１１と、冷却部１１２と、送風手段１１３と、電源部１１４と、吹出口１１５と、断熱材１１６とを有する。
【００４７】
上記筐体１１１は、上記冷却装置１１０の本体を形成する。上記冷却部１１２は、筺体１１１内部に着脱可能に配設され、流入された空気を冷却する。上記送風手段１１３は、冷却部１１２に接続され、筺体１１１の外部（すなわち、冷却装置１１０の外部）から吸入した空気を、冷却部１１２を介して送風する。具体的には、送風手段１１３は、筺体１１１の外部から吸入した空気を、冷却部１１２を介して吹出口１１５から放出することができる。これにより、上記冷却装置１１０は、防護服１００の着用者の身体を効果的に冷却できる。
【００４８】
上記電源部１１４は、筺体１１１の内部に配設され、送風手段１１３を駆動させる。上記吹出口１１５は、筺体１１１の内外を貫通して配設され、筺体１１１の内部側に位置する端部に接続された冷却部１１２から送風される冷却風を、筺体１１１の外部側に位置する端部から放出する。
【００４９】
上記断熱材１１６は、筺体１１１の内部に設けられ、冷却部１１２を覆うように配置される。なお、この断熱材１１６は、さらに、上記吹出口１１５の少なくとも一部を覆うよう配置されることもできる。これにより、上記冷却装置１１０は、冷却部１１２における冷却効果をより持続させることが可能となる。
【００５０】
上記筐体１１１は、図５に例示されるように、蓋部１１１ａおよび本体部１１１ｂで構成され、蓋部１１１ａは、本体部１１１ｂに対して開閉可能に取り付けられることが好ましい。そして、上記蓋部１１１ａおよび本体部１１１ｂは、例えば、ＡＢＳ樹脂（アクリロニトリル、ブタジエン、スチレンを重合させて作られる樹脂の総称）を含む任意の合成樹脂や、アラミド繊維強化プラスチックとＦＲＰ（Fiber Reinforced Plastics：繊維強化プラスチック）との合成材料などを用いて製造できる。これにより、筐体１１１全体をコンパクトかつ軽量にするとともに、剛性を確保することができる。なお、蓋部１１１ａおよび本体部１１１ｂに用いられる材料は、上記の例に限定されない。
【００５１】
また、筐体１１１は、送風手段１１３が配設される側から吹出口１１５側に向けて、その厚みが薄くなるように成形されていてよい。これにより、冷却装置１１０を使用した場合、使用者（防護服１００の着用者）の首回りをすっきりさせ、首の可動範囲を広げることができるため、上記冷却装置１１０の使用し易さを改善することができる。なお、上記した筐体１１１の形状は一例であり、当該形状に限定されない。例えば、上記筐体１１１は、送風手段１１３が配設される側から吹出口１１５側に向けて、その厚みが厚くなるように成形されていてもよいし、その厚みが変化しないように成形されていてもよい。
【００５２】
上記送風手段１１３は、図９に例示されるように、ファン１１３ａと、このファン１１３ａを駆動するためのモータ１１３ｂとで構成される送風機であることが好ましい。そして、上記モータ１１３ｂは、上記電源部１１４（例えばバッテリー）から供給される電力により回転駆動するように構成されてよい。なお、送風手段１１３は、ファン１１３ａの回転速度を変化させることによって、風量を調節することができる。これにより、上記防護服１００の着用者は、当該防護服１００の内部に送り込まれる冷却風の量を適宜調節することができる。
【００５３】
また、上記電源部１１４として、充電可能なニッケル水素電池を用いることが好ましい。これにより、上記電源部１１４は、安全面・性能面・コスト面において優れた性能を発揮できる。さらに、本実施形態において、電源部１１４は、断熱材１１６によって覆われた冷却部１１２の側方に配置されているが、電源部１１４を配置する位置は、当該冷却部１１２の側方に限られず、任意の位置に配置することができる。
【００５４】
上記吹出口１１５は、筐体１１１の内部側の端部に冷却部１１２が接続されるように構成されてよい。また、上記吹出口１１５は、筐体１１１の外部側の端部において、複数（図９では４つ）に分岐させて構成され、外部に向かって冷却部１１２から送られる冷却風を吹き出し可能としている。なお、吹出口１１５は、冷却風を吹き出し可能でありさえすればよく、当該吹出口１１５の形状、数、材料、配置位置などは限定されない。
【００５５】
筺体１１１（例えば、当該筐体１１１の背面側、すなわち本体部１１１ｂにおける蓋部１１１ａとは反対の裏面側）には、例えば図６に示されるように、パッド部（例えばウレタンパッド等）１１７が配設されている（図６の縁取り部分参照）。これにより、冷却装置１１０は、当該冷却装置１１０の使用者（防護服１００の着用者）に対して負荷をかけることなく、快適な装着性を与えることができる。なお、上記パッド部１１７は、吹出口１１５および吸気口１１８以外の部分を覆うように配設されてよい。
【００５６】
また、筺体１１１の外部の空気を筐体１１１内部に取り込むための吸気口１１８が設けられていることが好ましい。なお、上記筐体１１１には、当該筐体１１１の内部の送風手段１１３の位置に対応して開口されていてもよい。
【００５７】
図７〜図１２にそれぞれ含まれる（ａ）と（ｂ）とは、冷却部１１２、送風手段１１３、および、吹出口１１５の配置が異なる。すなわち、図７〜図１２の（ａ）に示される冷却装置１１０では、吸気口１１８に隣接して設けられた送風手段１１３（ファン１１３ａおよびモータ１１３ｂ）によって、外部から取り込まれた空気が冷却部１１２に送り込まれ、当該冷却部１１２によって冷却された空気（冷却風）が吹出口１１５から吹き出される。
【００５８】
一方、図７〜図１２の（ｂ）に示される冷却装置１１０では、冷却部１１２が吸気口１１８に接続されており、送風手段１１３によって当該吸気口１１８から取り込まれた空気が、冷却部１１２から当該送風手段１１３を経由して、吹出口１１５から吹き出される。図７〜図１２の（ｂ）にそれぞれ示される構造を有する場合、冷却装置１１０は、空気が流れる抵抗を低減することができるため、送風圧力の効率を向上させることができる。
【００５９】
したがって、図７〜図１２の（ａ）に示される冷却装置１１０では、送風手段１１３として、例えばクロスフローファン（その他のファンを用いてもよい）を採用するが、図７〜図１２の（ｂ）に示される冷却装置１１０では、送風手段１１３として、上記クロスフローファンよりも小型のファンを採用できる。これにより、冷却装置１１０全体をさらに小型化したり、冷却装置１１０の大きさを維持したまま複数の小型ファンを搭載することによって、送風能力を向上させたりすることができる。なお、図１０の（ｂ）は、図１０の（ａ）とは異なり、蓋部１１１ａを取り外した状態のＡ−Ａ線矢視断面図を示している。
【００６０】
また、冷却装置１１０は、上記防護服１００の着用者（当該冷却装置１１０の使用者）に給水する水を貯水可能な水筒部（給水タンク、図示せず）をさらに備えることができる。この場合、例えば、上記水筒部は蓋部１１１ａに設けられている（別の部分に設けられてもよい）。そして、当該水筒部に接続され、冷却装置１１０の内部に配設された給水チューブが、上記防護服１００のマスク部分（ヘルメットマスク３３０のマスク部分を含む）に伸びている。これにより、上記防護服１００の着用者は、上記給水チューブを吸うだけで、好きなときに給水を受けることができる。
【００６１】
＜冷却部１１２＞
続いて、上記冷却装置１１０の冷却部１１２について、詳細に説明する。
【００６２】
図１３〜図１４は、上記冷却部１１２を模式的に示した図であり、図１３の（ａ）は側面図を示し、図１３の（ｂ）は平面図を示している。また、図１４の（ａ）は側面断面図を示し、図１４の（ｂ）は平面断面図を示している。
【００６３】
図１３および図１４に示されるように、上記冷却部１１２は、長手方向の両端部に開口３１ａ、３１ｂを設けた中空構造を有し、冷却フィン２０１と、ケース２０２と、後述する冷却剤２０４とを備える。
【００６４】
上記冷却フィン２０１は、内部の短手方向に沿って交互に傾斜した複数の隔壁を有する。詳細については後述する。
【００６５】
上記ケース２０２は、冷却フィン２０１の外周を覆うように配設される。このケース２０２には、側面側に、冷却剤２０４を注入するための注入口２０３が設けられることが好ましい。これにより、防護服１００の着用者（冷却装置１１０の使用者）は、上記冷却剤２０４を簡単に補充することができる。なお、注入口２０３は、上記冷却剤２０４を注入できさえすればよく、当該注入口２０３を設ける位置は上記側面側に限られない。
【００６６】
上記冷却剤２０４は、冷却フィン２０１とケース２０２との間に介在するように充填され、冷却フィン２０１内を通過する空気を冷却する。
【００６７】
図１５の（ａ）および（ｂ）は、上記冷却部１１２の断面図であり、上記注入口２０３から冷却剤２０４を注入する方法を模式的に示している。図１５に示されるように、冷却剤２０４は、ケース２０２内に充填される。
【００６８】
また、例えば、図１４に示されるように、上記ケース２０２の、冷却フィン２０１とケース２０２とが当接する、長手方向の両端部２０２ａ・２０２ｂには、ケース２０２内部から外部に水分が漏れることを防止する構造を有することが好ましい（図１４の（ａ）および（ｂ）参照）。例えば、上記両端部をシーリング加工する、接着加工する、シリコンゴムからなる止水パッキンを設けるなどの手段によって、上記構造を実現することができる。これにより、ケース２０２の内部から外部に水分が漏れることを防止することができる。なお、上記水分は、例えば、冷却効果を高めるために凍らせた冷却剤２０４が溶けてきたときなどに生じるものである。
【００６９】
＜冷却フィン２０１の隔壁＞
続いて、上記冷却フィン２０１の隔壁について、詳細に説明する。
【００７０】
図１６の（ａ）に例示されるように、大小の矩形状をなす隔壁２０１ａは、例えば、それぞれ交互に傾斜した状態で連結されることが好ましい。なお、上記隔壁２０１ａは、縦、横または斜め、もしくは、これらを組み合わせて設けられていれば良く、図１６の（ｂ）に例示されるように、冷却フィン２０１の短手方向に沿って交互に傾斜した複数の隔壁２０１ａが、鋸刃形状をなしていてもよいし、図１６の（ｄ）に例示されるように、鋸刃形状をなす隔壁２０１ａが、平面に対して直交する鉛直方向に積層された２段構造（多段構造）になっているものであってもよい。
【００７１】
さらに、上記隔壁２０１ａは、各々断面矩形状をなし、これら矩形状の隔壁２０１ａが、それぞれ平面に対して直交する鉛直方向に拡大された巾広構造になっているものであってもよい。
【００７２】
図１６の（ｄ）に示された例においては、冷却フィン２０１の隔壁２０１ａを２段構造（多段構造）とする分、空気が通過する際に触れる隔壁２０１ａの面積が大きくなることから、隔壁２０１ａを図１６（ｂ）に示される１段構造とする場合と比較して、より高い冷却効果を得ることができる。従って、より高い冷却効果が求められる場合には、隔壁２０１ａの形状を多段構造（例えば、２段構造）の形状とすることが好ましい。
【００７３】
以上のことから、冷却装置１１０は、図６および図９に例示されるように、ジョイント８１（ジョイント部）を介して開口３１ａ（送風手段１１３と直接接続されてもよいし、接続されなくてもよい）から（すなわち、防護服１００内から）冷却装置１１０内に吸入した空気を、冷却フィン２０１における複数の隔壁２０１ａ間を長手方向に沿って通過させることで、当該冷却フィン２０１の外周のケース２０２に充填された冷却剤２０４によって冷却し、開口３１ｂからジョイント８２（ジョイント部）を介して接続される吹出口１１５へ冷却風を送り出し、当該吹出口１１５から外部（すなわち、防護服１００内）へと放出されるように構成されている。
【００７４】
このように、本発明の防護服１００は、この冷却装置１１０によって、防護服１００内の空気を吸気口１１８から吸い込んで、送風手段１１３によって冷却部１１２を介して循環させることにより、防護服１００を着用した着用者の身体を効果的に冷却することができる。
【００７５】
＜冷却剤２０４＞
続いて、上記冷却剤２０４について、詳細に説明する。
【００７６】
上記冷却剤２０４は、凍結性ゲルでよい。ここで、凍結性ゲルとは、凍結可能な性質を有するゲルのことである。これにより、冷却装置１１０は、冷却効果を発揮することができる。
【００７７】
一方で、上記冷却剤２０４は、少なくともケイ素、ストロンチウム、マグネシウム、ユーロピウムおよびジスプロシウムを必須元素とし、少なくともケイ素酸化物、炭酸ストロンチウム、酸化マグネシウム、酸化ユーロピウムおよび酸化ジスプロシウムを焼成して得られる組成物と、上記凍結性ゲルとが所定の比率で配合された冷却剤であってもよい。これらの組成物と、上記凍結性ゲルとを組み合わせることにより、上記冷却剤２０４が凍結性ゲルのみで構成される場合よりも、実用的なレベルで、冷却効果をさらに得ることができる。また、組成物がケイ酸塩系化合物であるため、鉛よりも比重が軽く、加工性にも優れている。さらに、上記組成物は、放射線を遮蔽する効果を有する。
【００７８】
ケイ素（Ｓｉ）の含有量は、好ましくは５〜３０質量％、より好ましくは１０〜２０質量％である。
ストロンチウム（Ｓｒ）の含有量は、好ましくは３０〜６０質量％、より好ましくは４０〜５０質量％である。
マグネシウム（Ｍｇ）の含有量は、好ましくは１〜２０質量％、より好ましくは５〜１０質量％である。
ユーロピウム（Ｅｕ）の含有量は、好ましくは０．１〜５質量％、より好ましくは０．５〜３質量％である。
ジスプロシウム（Ｄｙ）の含有量は、好ましくは０．１〜５質量％、より好ましくは０．５〜３質量％である。
【００７９】
この組成物は、上記必須元素以外にも酸素原子（好ましくは１０〜５０質量％、より好ましくは２０〜４０質量％）を含んでいても良い。また、ホウ素原子、上記以外の放射線吸収原子（例えば、エルビウム等のランタノイド元素）等を含んでいても良く、更には、製造上不可避な不純物等を含んでいてもよい。
【００８０】
この場合、有害性の観点から、鉛元素を実質的に含まないことが好ましい。例えば、５質量％以下、好ましくは１質量％以下である。
【００８１】
また、この組成物の形状は、本発明の場合、粉体（粒状）加工が可能となっており、他の粉状、繊維状等の有機物（この場合、凍結性ゲル）に混入させ、冷却剤２０４として使用可能となっている。
【００８２】
このように、組成物が粒状の場合は、例えば、平均粒子径が０．１μｍ〜１０００μｍ、好ましくは１μｍ〜１００μｍとすればよい。
【００８３】
また、この組成物は、上記必須元素等を含有する化合物単独で使用しても良いし、例えば、水、有機溶剤（アルコール、エーテル等）、界面活性剤、樹脂バインダー、無機粒子、有機粒子、本発明以外の組成物等といった添加剤と併せて使用してもよい。
【００８４】
このような組成物の好適な製造方法は、ケイ素化合物、ストロンチウム化合物、マグネシウム化合物、ユーロピウム化合物およびジスプロシウム化合物を混合し、焼成する焼成工程を備えることを特徴とする。具体的には、例えば、ケイ素酸化物、炭酸ストロンチウム（ＳｒＣＯ３）、酸化マグネシウム（ＭｇＯ）、酸化ユーロピウム（Ｅｕ２Ｏ３）および酸化ジスプロシウム（Ｄｙ２Ｏ３）を混合し、焼結する工程を経ることにより製造することができる。
【００８５】
ケイ素酸化物としては、二酸化ケイ素（ＳｉＯ２）、一酸化ケイ素（ＳｉＯ）等のいずれでも良いが、本発明ではＳｉＯ２が好適に用いられる。
【００８６】
配合割合は限定的でないが、例えば、
ケイ素酸化物２０〜６０質量％、好ましくは３０〜５０質量％、
炭酸ストロンチウム２０〜６０質量％、好ましくは３０〜５０質量％、
酸化マグネシウム５〜４０質量％、好ましくは１０〜３０質量％、
酸化ユーロピウム０．１〜５質量％、好ましくは０．２〜１質量％および
酸化ジスプロシウム０．１〜５質量％、好ましくは０．２〜１質量％、
とすればよい。
【００８７】
上記原料に加えて、さらにホウ酸（Ｈ３ＢＯ３）等のホウ素化合物を加えても良い。これにより、焼成時に金属間の電子移動を容易にさせ、酸化還元作用を促進させることができる。ホウ酸の配合量は限定的でないが、好ましくは０．１〜５質量％、より好ましくは０．５〜３質量％である。
【００８８】
混合した後、ボールミル、ロッドミル等の粉砕機で上記原料を粉砕しても良いし、粉砕しなくても良いが、本発明では粉砕することが好ましい。
【００８９】
焼成温度は、例えば、電気炉にて５００〜２０００℃、好ましくは１０００〜１５００℃とすればよい。
【００９０】
焼成雰囲気は、大気雰囲気および不活性ガス雰囲気のいずれでも良いが、好ましくは大気雰囲気である。
【００９１】
焼成時間は、焼成温度、焼成雰囲気等に応じて適宜決定すれば良いが、例えば、１０分〜１０時間、好ましくは３０分〜５時間とすればよい。
【００９２】
＜保冷部１２０＞
続いて、保冷部１２０について、詳細に説明する。
【００９３】
保冷部１２０は、冷却装置１１０によって冷却された空気を防護服１００の内部に循環させるために、当該冷却された空気を一時的に蓄積するものである。図１〜図３の（ａ）および（ｂ）にそれぞれ例示されるように、保冷部１２０は、防護服１００の着用者を効果的に冷却できる位置（例えば、首周辺、肩周辺、および／または腰周辺に対応する位置）に設けられることが好ましい。なお、図１〜図３の（ａ）および（ｂ）では、上記保冷部１２０として、肩胸保冷部１２０ａ、および腰保冷部１２０ｂが例示されている。また、図１〜図３の（ａ）および（ｂ）は、保冷部１２０の大きさ・形状などが異なる例をそれぞれ例示している。さらに、上記保冷部１２０は、例えば、ダクト、冷却ホースなどによって実現される連通手段１３０により、冷却装置１１０と連通される。
【００９４】
これにより、冷却装置１１０から吹き出される冷却風が、上記保冷部１２０にいったん貯められてから、徐々に全身に循環し、着用者の発熱量の高い部位である首・肩・脇下・胸周辺・腰・股周辺に、冷却風を供給することができるため、着用者に対して十分な冷却効果を発揮できる。なお、防護服１００は、上記保冷部１２０を備えない構成とすることもできる。
【００９５】
図１７は、防護服１００が上記保冷部１２０を備えた構成において、当該保冷部１２０と連通手段１３０とを説明するための模式図である。ここで、図１７の（ａ）は側面図であり、図１７の（ｂ）は肩胸保冷部１２０ａ付近（Ａ部分）の拡大図であり、図１７の（ｃ）は腰保冷部１２０ｂ付近（Ｂ部分）の拡大図である。
【００９６】
図１７の（ａ）〜（ｃ）に示されるように、上記保冷部１２０は、例えば、化学繊維（例えば、ポリエステル）を用いた複数の層を有する袋（冷却袋）であってよい。または、上記保冷部１２０は、粗さの異なる２以上の網目状材であるメッシュ状の布（冷却布）１２１、１２２から構成されてもよい。この場合、例えば、保冷部１２０ａ、１２０ｂの全体を細かいメッシュ状の布１２１で構成し、保冷部１２０ａ、１２０ｂと連結手段１３０との連結部には、粗いメッシュ状の布１２２をさらに重ねて構成してよい。
【００９７】
なお、図１７では、冷却装置１１０の吹出口１１５に連結された連通手段１３０が、防護服１００に設けられた供給口１３１ａ、ｂを通って保冷部１２０に連結される例、すなわち、連通手段１３０が防護服１００の外部を通る例を示したが、本発明はこの例に限られない。例えば、図１８に示されるように、防護服１００に供給口１３１ａ、ｂを設けず、連通手段１３０が防護服１００の内部を通るよう構成することもできる。
【００９８】
また、図１に示されるように、防護服１００と着用者の体表面３００との間には、空間４００が存在する。そして、このような防護服１００は、着用者の顎下から膝下にかけて、例えば、ポリウレタンフィルムラミネートを介して設けられる樹脂ファスナー１０１を開閉することによって着脱することができる。また、図１８の（ａ）に示されるように、樹脂ファスナー１０１を正面中央に配置することもできる。
【００９９】
＜帽体１０２＞
図１９に示されるように、防護服１００は、当該防護服１００の着用者の頭部に対応する位置に設けられる帽体（ヘルメット）１０２をさらに備えてよい。当該帽体１０２は、耐熱性・耐候性に優れた材質（例えば、ポリカーボネート）を用いて構成されることが好ましい。
【０１００】
＜マスク５００＞
図１９に示されるように、防護服１００は、（防塵・防毒の）マスク５００をさらに備えてよい。帽体１０２とマスク５００とは、それぞれ別個に設けられる構成であってもよいし、両者を一体的に統合した構成（ヘルメットマスク３３０）であってもよい。後者の場合、両者を連結させる部分（たいてい隙間が生じる）がなくなるため、防塵・防毒効果を向上させることができるだけでなく、防護服１００に異物が侵入するおそれを低減させることができる（後者の場合における構成例については後述する）。
【０１０１】
上記マスク５００の接続部は多重（例えば、二重）構造を有することが好ましい。上記マスク５００は、例えば防塵マスクなどでよい。上記マスク５００は、当該マスク５００を着用者の頭部に固定するための固定バンド５１０および二重構造部５２０を有してよい。ここで、当該二重構造部５２０は、内側部５２１および外側部５２２で構成することができる。上記固定バンド５１０は、上記内側部５２１に接続されることができる。
【０１０２】
このとき、防護服１００は、内側部５２１と外側部５２２とに挟みこまれるように配置される。すなわち、着用者は、マスク５００を装着した後、帽体１０２とスペーサー１０３とが設けられた防護服１００を頭部に被せ、防護服１００の顔周りの端部をマスクの外側部５２２と内側部５２１との間に配置されるように調整する。上記内側部５２１および外側部５２２は、ゴム素材などの任意の伸縮性素材で形成してよい。
【０１０３】
あるいは、防護服１００の着用者は、マスク５００を装着した後、上記帽体１０２を頭部に被せ、難燃ゴムで縁取った内側部５２１と防護服１００のフードの内側に施された面ファスナー２５とを接合する。
【０１０４】
なお、図１９に示されるように、上記帽体１０２の内側には、複数のスペーサー１０３が設けられることが好ましい。これにより、帽体１０２は、隣り合うスペーサー１０３とスペーサー１０３との間に所定の空間を確保できるため、このような構成を有さない場合と比べ、着用者の頭部と帽体１０２との間の通気性を高めることができる。
【０１０５】
＜帽体とマスクとを一体的に統合したヘルメットマスク３３０＞
図２０〜図２２は、帽体とマスクとを一体的に備えたヘルメットマスク３３０を示す模式図である。ここで、図２０は上記ヘルメットマスク３３０の正面図であり、図２１は側面図であり、図２２は防護服１００と上記ヘルメットマスク３３０とを連結する部分（首回り）の断面構造の一例を示す断面図である。図２０〜図２２に示される形態で、上記帽体１０２およびマスク５００（ヘルメットマスク３３０）は実現されてよい。なお、図２１の（ｂ）は、スライド式ベルト３１０が視認可能となるように、ヘルメット部分を透過させて表示している。
【０１０６】
なお、上記のように、帽体およびマスクを一体的に構成する（ヘルメットマスク３３０とする）必要は必ずしもないが、一体的に構成することによって、より気密性を向上させることができるため、危険因子（例えば、チリ、ホコリ、放射性物質、細菌など）から着用者を確実に防護することができる。また、ヘルメットマスク３３０内の通気性を向上させることもできるため、着用者の快適性を改善することができる。
【０１０７】
上記ヘルメットマスク３３０には、吸収缶（例えば、ねじ込み式吸収缶）を取り付けることができる。当該吸収缶は、「防毒マスクの規格」（平成２年労働省告示第６８号）によって定められる規格を満たし、国家検定に合格している市販品を使用することが好ましい。また、吸収缶に防塵フィルタ（粒子捕集効率が９９.９％以上であることが好ましい）を取り付けてよい。さらに、上記吸収缶をねじ込み式のレギュレータと交換して使用可能となるように、ヘルメットマスクと吸収缶との連結部分を構成することが好ましい。
【０１０８】
上記ヘルメットマスク３３０は、シールド部３０８（例えば、ポリカーボネートなど、耐熱性および耐候性に優れた材質を用いて構成されることが好ましい）を設けた直結式フルフェイス型マスクであってよい。この場合、上記ヘルメットマスク３３０の使用者（防護服１００の着用者）の呼気が、上記シールド部３０８に直接当たらない構造であることが好ましい。なお、上記シールド部３０８は、着用者の前方の広い部分（例えば、当該着用者の額部分から顎下にかけて）が透明となっていることが好ましく、これにより、当該着用者の視野を広く確保することができる。また、上記シールド部３０８に通信手段（例えば、面体正面に伝声器を備え、耳に骨伝導イヤーマイクを備えたもの）を取り付け、上記ヘルメットマスク３３０を着用したまま、他人と会話可能にすることができる。
【０１０９】
上記ヘルメットマスク３３０には、鼻カップ（例えば、シリコンゴムなど、肌に優しく耐熱性・耐寒性に優れた材質を用いて構成されることが好ましい）が設けられてよい。この場合、上記ヘルメットマスク３３０の使用者（防護服１００の着用者）の顔と接する部分（接顔部、鼻カップ固定部）におけるフィット性・気密性を高めるために、当該接顔部に多重（例えば、二重）構造を設けることが好ましい。また、上記ヘルメットマスク３３０を着用したまま、上記鼻カップの長さを調節可能にすることができる（しめひもの部品交換を、上記使用者が容易に行うことができる）。なお、上記鼻カップ固定部は、例えば、黒色のカーボンを用いて製造されてよい。
【０１１０】
上記鼻カップを調整するためのスライド式ベルト３１０（材質は、例えば、符号３１０ａによって示される部分をカーボンとし、符号３１０ｂによって示される部分をゴムとすることができる）を、上記ヘルメットマスクの所定の箇所に（例えば、４箇所）設けてよい。なお、上記スライド式ベルト３１０は、バンド固定止具３１２によって固定されている。さらに、上記ヘルメットマスク３３０の内部には、衝撃吸収用のパット３１１および／または断熱材３１３を設けてよい。なお、ヘルメットマスク３３０の色は、例えば、黒色でよい。
【０１１１】
上記ヘルメットマスク３３０には、排気弁（例えば、シリコンゴムなどの材質を用いて構成されることが好ましい）が設けられてよい。当該排気弁は、上記使用者が容易に交換可能となる構造を有することが好ましい。
【０１１２】
上記ヘルメットマスク３３０のヘルメット部３０７（図２０および図２１参照）は、例えば、黒色・半艶の光沢を有するカーボンによって製作されてよい。これにより、上記ヘルメット部３０７は、軽量かつ耐熱性・耐候性に優れた性質を有することができる。シールド部３０８は、透明色のポリカーボネートを用いて製作されてよい。これにより、上記シールド部３０８は、上記ヘルメット部３０７と同様に、軽量かつ耐熱性・耐候性に優れた性質を有することができる。
【０１１３】
防護服１００とヘルメットマスク３３０とを連結する部分（首回り）には、図２２の（ａ）および（ｂ）に例示される断面構造を有する連結部３０９が設けられている。当該連結部３０９は、ヘルメットマスク３３０の首回りに設けられた当接部材と、防護服１００の首回りに設けられた当接部材とのペアから構成される。
【０１１４】
図２２の（ａ）に例示されるように、上記連結部３０９は、両方の当接部材を当接させた状態で、一方に対して他方をスライドさせ、両方の当接部材の所定箇所にそれぞれ設けられた止具（例えば、図２２の（ａ）に示されるようなスライド型止具３３１ａ〜ｄでよい）を嵌合させることにより、防護服１００とヘルメットマスク３３０とを連結することができる（スライド固定方式）。この場合、着用者は、一方に対して他方を、着用時とは逆方向にスライドさせることによって止具の嵌合を外し、ヘルメットマスク３３０を防護服１００から取り外すことができる。
【０１１５】
または、図２２の（ｂ）に例示されるように、上記連結部３０９は、一方の当接部材が他方の当接部材に嵌め込まれることによって、いずれか一方（または両方）の当接部材に設けられた固定部材（例えば、図２２の（ｂ）に示されるようなボタン３３２ａ、ｂでよい）が防護服１００とヘルメットマスク３３０とを固定するように、両者を連結することもできる（固定部材方式）。この場合、着用者は、当該固定部材を押下することによって固定を解除し、ヘルメットマスク３３０を防護服１００から取り外すことができる。
【０１１６】
上記いずれの方式によっても、防護服１００は、ヘルメットマスク３３０の密閉性を高く維持することができるだけでなく、当該ヘルメットマスク３３０を着脱容易にすることができる。なお、上記連結部３０９は、黒色・半艶の光沢を有するカーボンによって製作されてよい。
【０１１７】
＜腕部＞
防護服１００は、当該防護服１００の着用者の腕に対応する位置に設けられる腕部と、腕部に取り付けられる手袋とをさらに備え、手袋と腕部との連結部は、外袖および内袖の多重（例えば、二重）構造を有し、内袖の内側には、複数のスペーサーが設けられることが好ましい。詳細については後述する。
【０１１８】
＜脚部＞
防護服１００は、当該防護服１００の着用者の脚に対応する位置に設けられる脚部と、脚部に取り付けられる長靴とをさらに備え、長靴と脚部との連結部は、外裾および内裾の多重（例えば、二重）構造を有し、内裾の内側には、複数のスペーサーが設けられることが好ましい。詳細については後述する。
【０１１９】
内袖および内裾は、難燃性をもつ繊維（例えばアラミド）を用い、その上に金属蒸着（例えばアルミニウム蒸着）させる構成をとることができる。これにより、防護服１００は、耐熱性を向上させるとともに、表面の織り目の凹凸を少なくすることによって、外部からの不純物が繊維に付着し難くすることができる。
【０１２０】
着用者の膝および肘に対応する部位の裏側（内側）には、膝あておよび肘あてが設けられることが好ましい。なお、膝あておよび肘あてには、膝および肘の保護のために、内側にクッション材を用いることができる。
【０１２１】
図２３は、防護服１００の腕部１に設けられた袖部４に、手袋６を装着した状態を示す図である（なお、説明のため、防護服１００の上着における腕部１以外の各箇所は省略して示している）。図２３に例示されるように、腕部１には手袋６を（例えば、当該手袋６を袖部２、３で挟み込むことによって）取り付けることができる。
【０１２２】
腕部１は、防護服１００の上着の一部分であり、外袖２および内袖３の多重（例えば、二重）構造を有する。
【０１２３】
外袖２は、内袖３または袖部４と、縫製または接着によって接合され、装着時には、少なくとも内袖３および手袋６の開口部６ａを外側から覆う。袖部４は、内袖３と一体的に構成されるものであるが、内袖３と袖部４とを別々の部材としてそれぞれ形成し、それらを縫製する、または接着材を塗布することによって接合してもよい。
【０１２４】
外袖２は、例えばゴム素材などの任意の伸縮性素材で形成される。このため、外袖２は、装着時には、少なくとも内袖３および手袋６の開口部６ａを外側から押さえつけることが可能となり、外部から手袋６または内袖３等の内部への塵、埃、または水分等の侵入を防ぐことができ、このような構成を有さない場合と比べ、気密性を高めることが可能となる。
【０１２５】
内袖３は、腕部１の先端部分の一部、つまりは、図示しない腕部１の上着付け根部とは反対方向の端部として形成される。
【０１２６】
内袖３、袖部４、および図示しない上着において、難燃性をもつ繊維（例えばアラミド）を用い、その上に金属蒸着（例えばアルミニウム蒸着）させる構成をとることができる。これにより、防護服１００は、耐熱性を向上させるとともに、表面の織り目の凹凸を少なくすることによって、外部からの不純物が繊維に付着し難くすることができる。
【０１２７】
面ファスナー５は、ループ面とフック面とのペアで構成される。例えば、内袖３の外側に面ファスナー５のループ面を縫製する、または接着材を塗布することにより接合し、手袋６の開口部６ａの内側に面ファスナー５のフック面を縫製する、または接着材を塗布することにより接合する。この場合、ループ面における内袖３との接合面とは逆の面と、フック面における開口部６ａとの接合面とは逆の面とをそれぞれ合わせることにより、内袖３の外側の面と開口部６ａの内側の面とを間接的に結合することができ、内袖３と手袋６（または開口部６ａ）とのズレを防止することが可能となる。
【０１２８】
なお、内袖３の外側に面ファスナー５のフック面を、手袋６の開口部６ａの内側に面ファスナー５のループ面をそれぞれ縫製する、または接着材を塗布することにより接合した場合も、同様にして内袖３の外側の面と開口部６ａの内側の面とを連結することができる。
【０１２９】
面ファスナー５として、例えば、商品名：マジックテープ（登録商標）などを用いることができる。また、面ファスナー５として、ループ面とフック面の区別のないタイプのもの、例えば、商品名：フリーマジック（登録商標）などを用いてもよい。この場合、内袖３の外側と、開口部６ａの内側とのそれぞれにループ面とフック面との区別なく縫製する、または接着材を塗布することにより面ファスナー５を接合すればよいことはいうまでもない。
【０１３０】
手袋６は、開口部６ａを有し、難燃性をもつ繊維（例えばアラミド）を用い、その上に金属蒸着（例えばアルミニウム蒸着）させる構成をとることができる。これにより、防護服１００は、耐熱性を向上させるとともに、表面の織り目の凹凸を少なくすることによって、外部からの不純物が繊維に付着し難くすることができる。
【０１３１】
スペーサー７は、内袖３の内側に縫製する、または接着材を塗布することにより接合される。また、スペーサー７は、内袖３の内側に所定の間隔をあけながら複数備えられる。このような構成とすることによって、防護服１００は、隣り合うスペーサー７とスペーサー７との間に所定の空間を確保しやすくなるため、このような構成を有さない場合と比べ、袖部４の内部Ａと手袋６の内部Ｂの間の通気性を高めることができる。スペーサー７は、例えば、ウレタン素材によって角柱に形成される。
【０１３２】
なお、スペーサー７は、内袖３および袖部４の内部Ａと手袋６の内部Ｂの間の通気性を高めることができるものであれば、ウレタン素材に限らずどのような素材を用いても構わないし、どのような形状にしても構わない。また、図２３において、着用者はアンダーシャツ８を着用した上から防護服１００の上着を着用している状態を示しているが、アンダーシャツ８を着用せずに防護服１００の上着を着用できることはいうまでもない。
【０１３３】
図２４は、防護服１００の脚部１１に設けられた裾部１４に、長靴１６を装着した状態を示す（なお、説明のため、防護服１００のズボンにおける脚部１１以外の各箇所は省略して示している）。図２４に例示されるように、脚部１１には長靴１６を（例えば、当該長靴１６を裾部１２、１３で挟み込むことによって）取り付けることができる。
【０１３４】
脚部１１は、防護服１００のズボンの一部分であって、外裾１２および内裾１３の多重（例えば、二重）構造を有する。
【０１３５】
外裾１２は、内裾１３または裾部１４と縫製または接着により接合され、装着時には、少なくとも内裾１３および長靴１６の開口部１６ａを外側から覆う。裾部１４は、内裾１３と一体的に構成されるものであるが、内裾１３と裾部１４とを別々の部材として形成し、それらを縫製する、または接着材を塗布することによって接合してもよい。外裾１２は、例えばゴム素材などの任意の伸縮性素材で形成される。このため、外裾１２は、装着時には、少なくとも内裾１３および長靴１６の開口部１６ａを外側から押さえつけることが可能となり、外部から長靴１６または内裾１３等の内部への塵、埃、または水分等の侵入を防ぐことができる。したがって、防護服１００は、このような構成を有さない場合と比べ、気密性を高めることが可能となる。
【０１３６】
内裾１３は、脚部１１の先端部分の一部、つまりは、図示しない脚部１１のズボン付け根部とは反対方向の端部として形成される。
【０１３７】
内裾１３、裾部１４、および図示しないズボンにおいて、難燃性をもつ繊維（例えばアラミド）を用い、その上に金属蒸着（例えばアルミニウム蒸着）させる構成をとることができる。これにより、防護服１００は、耐熱性を向上させるとともに、表面の織り目の凹凸を少なくすることによって、外部からの不純物が繊維に付着し難くすることができる。
【０１３８】
面ファスナー１５は、ループ面とフック面のペアで構成される。例えば、内裾１３の外側に面ファスナー１５のループ面を縫製する、または接着材を塗布することにより接合し、長靴１６の開口部１６ａの内側に面ファスナー１５のフック面を縫製する、または接着材を塗布することにより接合する。この場合、ループ面における内裾１３との接合面とは逆の面と、フック面における開口部１６ａとの接合面とは逆の面とをそれぞれ合わせることにより、防護服１００は、内裾１３の外側の面と開口部１６ａの内側の面とを間接的に結合することができ、内裾１３と長靴１６（または開口部１６ａ）とのズレを防止することが可能となる。
【０１３９】
なお、内裾１３の外側に面ファスナー１５のフック面を、長靴１６の開口部１６ａの内側に面ファスナー１５のループ面をそれぞれ縫製する、または接着材を塗布することにより接合した場合も、同様にして内裾１３の外側の面と開口部１６ａの内側の面とを接合することができる。
【０１４０】
面ファスナー１５として、例えば、商品名：マジックテープ（登録商標）などを用いることができる。また、面ファスナー１５として、ループ面とフック面の区別のないタイプのもの、例えば、商品名：フリーマジック（登録商標）などを用いてもよい。この場合、内裾１３の外側と、開口部１６ａの内側とのそれぞれにループ面とフック面との区別なく縫製する、または接着材を塗布することにより面ファスナー１５を接合すればよいことはいうまでもない。
【０１４１】
長靴１６は、開口部１６ａを有し、難燃性をもつ繊維（例えばアラミド）を用い、その上に金属蒸着（例えばアルミニウム蒸着）させる構成をとることができる。これにより、耐熱性を付与するとともに、表面の織り目の凹凸を少なくすることで、外部からの不純物が繊維に付着し難くすることができる。また、長靴１６の靴底は、例えば、鉄板入り、またはプラスチック入りとすることによって踏抜きを防止することができる。
【０１４２】
スペーサー１７は、内裾１３の内側に縫製する、または接着材を塗布することにより接合される。また、スペーサー１７は、内裾１３の内側に所定の間隔をあけながら複数備えられる。このような構成とすることで、隣り合うスペーサー１７とスペーサー１７との間に所定の空間を確保しやすくなるため、このような構成を有さない場合と比べ、内裾１３および裾部１４の内部Ｃと長靴１６の内部Ｄの間の通気性を高めることができる。スペーサー１７は、例えば、ウレタン素材によって角柱に形成される。
【０１４３】
なお、スペーサー１７は、内裾１３および裾部１４の内部Ｃと長靴１６の内部Ｄの間の通気性を高めることができるものであれば、ウレタン素材に限らずどのような素材を用いても構わないし、どのような形状にしても構わない。また、図２４において、着用者はアンダーウェア１８を着用した上から防護服１００のズボンを着用している状態を示しているが、アンダーウェア１８を着用せずに防護服１００のズボンを着用できることはいうまでもない。
【０１４４】
図２５は、防護服１００の腕部２１に設けられた袖部４に、手袋６を装着した状態を示す図である。腕部２１は、前述した腕部１と基本的には同一の構成を有するため、ここでは異なる構成について説明する。
【０１４５】
スペーサー２２は、スペーサー７の代わりに設けられるものである。スペーサー２２は、複数が連続して接合されたものであり、各スペーサー２２には、スペーサー通気口２３が設けられている。このようにスペーサー通気口２３が設けられていることにより、このような構成を有さない場合と比べ、内袖３および袖部４の内部Ａと手袋６の内部Ｂの間の通気性を高めることができる。
【０１４６】
スペーサー２２は、例えば、ウレタン素材によって角柱に形成される。なお、スペーサー２２は、内袖３および袖部４の内部Ａと手袋６の内部Ｂの間の通気性を高めることができるものであれば、ウレタン素材に限らずどのような素材を用いても構わないし、どのような形状にしても構わない。
【０１４７】
図２６は、防護服１００の脚部３１に設けられた裾部１４に、長靴１６を装着した状態を示す図である。脚部３１は、脚部１１と基本的には同一の構成を有するため、ここでは異なる構成について説明する。
【０１４８】
スペーサー３２は、スペーサー１７の代わりに設けられるものである。スペーサー３２は、複数が連続して接合されたものであり、各スペーサー３２には、スペーサー通気口３３が設けられている。このようにスペーサー通気口３３が設けられていることにより、このような構成を有さない場合と比べ、内裾１３および裾部１４の内部Ｃと長靴１６の内部Ｄの間の通気性を高めることができる。
【０１４９】
スペーサー３２は、例えば、ウレタン素材によって角柱に形成される。なお、スペーサー３２は、内裾１３および裾部１４の内部Ｃと長靴１６の内部Ｄの間の通気性を高めることができるものであれば、ウレタン素材に限らずどのような素材を用いても構わないし、どのような形状にしても構わない。
【０１５０】
図２７は、防護服１００の腕部４１に設けられた袖部４に、手袋６を装着した状態を示す図である。腕部４１は、前述した腕部１と基本的には同一の構成を有するため、ここでは異なる構成について説明する。
【０１５１】
スペーサー４２は、スペーサー７の代わりに設けられるものである。各スペーサー４２には、スペーサー通気口４３が設けられている。このようにスペーサー通気口４３が設けられていることにより、このような構成を有さない場合と比べ、内袖３および袖部４の内部Ａと手袋６の内部Ｂの間の通気性を高めることができる。つまり、スペーサー４２が内袖３の内側に所定の間隔をあけて複数配置されていることに加え、各スペーサー４２自体にスペーサー通気口４３が設けられているため、内袖３および袖部４の内部Ａと手袋６の内部Ｂの間の通気性をより高めることができる。
【０１５２】
スペーサー４２は、例えば、ウレタン素材によって角柱に形成される。なお、スペーサー４２は、袖部４の内部Ａと手袋６の内部Ｂの間の通気性を高めることができるものであれば、ウレタン素材に限らずどのような素材を用いても構わないし、どのような形状にしても構わない。
【０１５３】
図２８は、防護服１００の脚部５１に設けられた裾部１４に、長靴１６を装着した状態を示す図である。脚部５１は、前述した脚部１１と基本的には同一の構成を有するため、ここでは異なる構成について説明する。
【０１５４】
スペーサー５２は、スペーサー１７の代わりに設けられるものである。各スペーサー５２には、スペーサー通気口５３が設けられている。このようにスペーサー通気口５３が設けられていることにより、このような構成を有さない場合と比べ、内裾１３および裾部１４の内部Ｃと長靴１６の内部Ｄの間の通気性を高めることができる。つまり、スペーサー５２が内裾１３の内側に所定の間隔をあけて複数配置されていることに加え、各スペーサー５２自体にスペーサー通気口５３が設けられているため、内裾１３および裾部１４の内部Ｃと長靴１６の内部Ｄの間の通気性をより高めることができる。
【０１５５】
スペーサー５２は、例えば、ウレタン素材によって角柱に形成される。なお、スペーサー５２は、裾部１４の内部Ｃと長靴１６の内部Ｄの間の通気性を高めることができるものであれば、ウレタン素材に限らずどのような素材を用いても構わないし、どのような形状にしても構わない。
【０１５６】
図２９は、腕部と手袋とを連結する連結部６４の構成の一例を示す模式図である。図２９に例示されるように、上記連結部（腕連結部）６４は、腕部に設けられた当接部材６８ａと、手袋に設けられた当接部材６８ｂとのペアを含む。当接部材６８ａおよび当接部材６８ｂは、例えば、リング形状を有してよい。また、上記連結部６４は、（Ａ）当接部材６８ａおよび当接部材６８ｂのいずれか一方を他方に嵌め込む（互いに嵌め合わせる）ことによって、上記手袋を上記腕部に連結する方式、または（Ｂ）当接部材６８ａおよび／または当接部材６８ｂに設けられた固定部材６３を用いて上記手袋と上記腕部とを固定することによって、両者を連結する方式を採用することができる。
【０１５７】
なお、図２９は、固定部材６３（図２９においては固定用のボタン６３ｃが例示されている）を用いて両者を連結する上記方式（Ｂ）を例示したものである（上記ボタン６３ｃを用いた構成については、図３１を参照して再度詳細に説明する）。また、上記方式（Ｂ）において、固定部材６３は当接部材６８ａ（すなわち、腕部の袖）に設けられていてもよいし、当接部材６８ｂ（すなわち、手袋）に設けられていてもよいし、両方に設けられていてもよい。さらに、固定部材６３を設ける位置および数は、任意である。
【０１５８】
図３０の（ａ）は、防護服１００が備えた手袋６１を装着した状態における、腕部６２と手袋６１とを示す模式図であり、（ｂ）は、連結部６４の断面構造の一例を示す断面図である。図３０の（ａ）に例示されるように、上記防護服１００は、当該防護服１００の着用者の腕に対応する位置に設けられる腕部６２と、上記連結部６４を介して当該腕部６２に取り付けられる手袋６１とをさらに備えている。図３０の（ｂ）に例示されるように、上記連結部６４には、固定部材６３（板ばね６３ａおよび６３ｂ）が設けられている（上記方式（Ｂ））。
【０１５９】
なお、図３０の（ａ）および（ｂ）は、固定部材６３として板ばねが２つ（６３ａ、６３ｂ）当接部材６８ａに設けられた例を示すが、前述したように、当該固定部材６３は１つであってもよいし、３つ以上であってもよい（固定部材６３の数は限定されない）。前者の場合、着用者は、より簡単に手袋６１を着脱することができ、後者の場合、より確実に手袋６１を固定することができる。また、図３０の（ａ）および（ｂ）は、上記腕部６２の袖（すなわち、当接部材６８ａ）に、固定部材６３が設けられている例を示すが、当該固定部材６３は、前述したように、手袋（すなわち、当接部材６８ｂ）に設けられていてもよいし、両方（当接部材６８ａおよび当接部材６８ｂ）に設けられていてもよい。
【０１６０】
着用者が、上記固定部材６３が設けられた箇所（図３０の（ａ）および（ｂ）においては、矢印によって示される箇所）を押下すると、当接部材６８ａに設けられた固定部材６３が当接部材６８ｂから外れ、腕部６２から手袋６１を取り外すことができる。このように、上記防護服１００は、手袋６１の着脱を容易にすることができる。
【０１６１】
また、上記袖には複数のスペーサー６７が設けられている。これにより、隣り合うスペーサー６７とスペーサー６７との間に所定の空間を確保できるため、着用者の腕と腕部６２との間の通気性を高めることができる。
【０１６２】
図３１の（ａ）は、防護服１００が備えた手袋６１を装着した状態における、腕部６２と手袋６１とを示す模式図であり、（ｂ）は、連結部６４の断面構造の一例を示す断面図である。図３１の（ａ）に例示されるように、上記防護服１００は、当該防護服１００の着用者の腕に対応する位置に設けられる腕部６２と、上記連結部６４を介して当該腕部６２に取り付けられる手袋６１とをさらに備えている。図３１の（ｂ）に例示されるように、上記連結部６４には、固定部材６３（ボタン６３ｃ）が設けられている（上記方式（Ｂ））。
【０１６３】
なお、図３１の（ａ）および（ｂ）は、固定部材６３としてボタン（６３ｃ）が当接部材６８ａに１つ設けられた例を示すが、前述したように、当該固定部材６３は２つ以上であってもよい（固定部材６３の数は限定されない）。２つ以上ある場合、より確実に手袋６１を固定することができる。また、図３１の（ａ）および（ｂ）は、上記腕部６２の袖（すなわち、当接部材６８ａ）に、固定部材６３が設けられている例を示すが、当該固定部材６３は、前述したように、手袋（すなわち、当接部材６８ｂ）に設けられていてもよいし、両方（当接部材６８ａおよび当接部材６８ｂ）に設けられていてもよい。
【０１６４】
着用者が、上記固定部材６３が設けられた箇所（図３１の（ａ）および（ｂ）においては、矢印によって示される箇所）を押下すると、当接部材６８ａに設けられた固定部材６３が当接部材６８ｂから外れ、腕部６２から手袋６１を取り外すことができる。このように、上記防護服１００は、手袋６１の着脱を容易にすることができる。
【０１６５】
また、上記袖には複数のスペーサー６７が設けられている。これにより、隣り合うスペーサー６７とスペーサー６７との間に所定の空間を確保できるため、着用者の腕と腕部６２との間の通気性を高めることができる。
【０１６６】
図３２は、脚部と長靴とを連結する連結部７４の構成の一例を示す模式図である。図３２に例示されるように、上記連結部（脚連結部）７４は、脚部に設けられた当接部材７８ａと、長靴に設けられた当接部材７８ｂとのペアを含む。当接部材７８ａおよび当接部材７８ｂは、例えば、リング形状を有してよい。また、上記連結部７４は、（Ａ）当接部材７８ａおよび当接部材７８ｂのいずれか一方を他方に嵌め込む（互いに嵌め合わせる）ことによって、上記長靴を上記脚部に連結する方式、または（Ｂ）当接部材７８ａおよび／または当接部材７８ｂに設けられた固定部材７３を用いて上記長靴と上記脚部とを固定することによって、両者を連結する方式を採用することができる。
【０１６７】
なお、図３２は、固定部材７３（図３２においては固定用のボタン７３ｃが例示されている）を用いて両者を連結する上記方式（Ｂ）を例示したものである（上記ボタン７３ｃを用いた構成については、図３４を参照して再度詳細に説明する）。また、上記方式（Ｂ）において、固定部材７３は当接部材７８ａ（すなわち、脚部の裾）に設けられていてもよいし、当接部材７８ｂ（すなわち、長靴）に設けられていてもよいし、両方に設けられていてもよい。さらに、固定部材７３を設ける位置および数は、任意である。
【０１６８】
図３３の（ａ）は、防護服１００が備えた長靴７１を装着した状態における、脚部７２と長靴７１とを示す模式図であり、（ｂ）は、連結部７４の断面構造の一例を示す断面図である。図３３の（ａ）に例示されるように、上記防護服１００は、当該防護服１００の着用者の脚に対応する位置に設けられる脚部７２と、上記連結部７４を介して当該脚部７２に取り付けられる長靴７１とをさらに備えている。図３３の（ｂ）に例示されるように、上記連結部７４には、固定部材７３（板ばね７３ａおよび７３ｂ）が設けられている（上記方式（Ｂ））。
【０１６９】
なお、図３３の（ａ）および（ｂ）は、固定部材７３として板ばねが２つ（７３ａ、７３ｂ）当接部材７８ａに設けられた例を示すが、前述したように、当該固定部材７３は１つであってもよいし、３つ以上であってもよい（固定部材７３の数は限定されない）。前者の場合、着用者は、より簡単に長靴７１を着脱することができ、後者の場合、より確実に長靴７１を固定することができる。また、図３３の（ａ）および（ｂ）は、上記脚部７２の裾（すなわち、当接部材７８ａ）に、固定部材７３が設けられている例を示すが、当該固定部材７３は、前述したように、長靴（すなわち、当接部材７８ｂ）に設けられていてもよいし、両方（当接部材７８ａおよび当接部材７８ｂ）に設けられていてもよい。
【０１７０】
着用者が、上記固定部材７３が設けられた箇所（図３３の（ａ）および（ｂ）においては、矢印によって示される箇所）を押下すると、当接部材７８ａに設けられた固定部材７３が当接部材７８ｂから外れ、脚部７２から長靴７１を取り外すことができる。このように、上記防護服１００は、長靴７１の着脱を容易にすることができる。
【０１７１】
また、上記裾には複数のスペーサー７７が設けられている。これにより、隣り合うスペーサー７７とスペーサー７７との間に所定の空間を確保できるため、着用者の脚と脚部７２との間の通気性を高めることができる。
【０１７２】
図３４の（ａ）は、防護服１００が備えた長靴７１を装着した状態における、脚部７２と長靴７１とを示す模式図であり、（ｂ）は、連結部７４の断面構造の一例を示す断面図である。図３４の（ａ）に例示されるように、上記防護服１００は、当該防護服１００の着用者の脚に対応する位置に設けられる脚部７２と、上記連結部７４を介して当該脚部７２に取り付けられる長靴７１とをさらに備えている。図３４の（ｂ）に例示されるように、上記連結部７４には、固定部材７３（ボタン７３ｃ）が設けられている（上記方式（Ｂ））。
【０１７３】
なお、図３４の（ａ）および（ｂ）は、固定部材７３としてボタン（７３ｃ）が当接部材７８ｂに１つ設けられた例を示すが、前述したように、当該固定部材７３は２つ以上であってもよい（固定部材７３の数は限定されない）。２つ以上ある場合、より確実に長靴７１を固定することができる。また、図３４の（ａ）および（ｂ）は、上記長靴７１（すなわち、当接部材７８ｂ）に、固定部材７３が設けられている例を示すが、当該固定部材７３は、前述したように、脚部７２の裾（すなわち、当接部材７８ａ）に設けられていてもよいし、両方（当接部材７８ａおよび当接部材７８ｂ）に設けられていてもよい。
【０１７４】
着用者が、上記固定部材７３が設けられた箇所（図３４の（ａ）および（ｂ）においては、矢印によって示される箇所）を押下すると、当接部材７８ｂに設けられた固定部材７３が当接部材７８ａから外れ、脚部７２から長靴７１を取り外すことができる。このように、上記防護服１００は、長靴７１の着脱を容易にすることができる。
【０１７５】
また、上記裾には複数のスペーサー７７が設けられている。これにより、隣り合うスペーサー７７とスペーサー７７との間に所定の空間を確保できるため、着用者の脚と脚部７２との間の通気性を高めることができる。
【０１７６】
以上、本発明の実施形態について述べたが、本発明は既述の実施形態に限定されるものではなく、本発明の技術的思想に基づいて各種の変形および変更が可能である。
【０１７７】
例えば、上記実施形態では、手袋は、袖部（腕部）と別々の部材からなるものとして説明したが（図２３、図２５、図２７、図２９、図３０、図３１をそれぞれ参照）、例えば、当該手袋は、袖部と一体的であってもよい。ここで、「一体的」とは、手袋と袖部とが縫製または接着により直接結合されていることを意味する。この場合、本発明の防護服は、両者を着脱可能にする構成（例えば、外袖、内袖、面ファスナー、連結部（当接部材、固定部材）の一部または全部）を備えなくてもよい。
【０１７８】
同様に、上記実施形態では、長靴は、裾部（脚部）と別々の部材からなるものとして説明したが（図２４、図２６、図２８、図３２、図３３、図３４をそれぞれ参照）、例えば、当該長靴は、裾部と一体的であってもよい。ここで、「一体的」とは、長靴と裾部とが縫製または接着により直接結合されていることを意味する。この場合、本発明の防護服は、両者を着脱可能にする構成（例えば、外裾、内裾、面ファスナー、連結部（当接部材、固定部材）の一部または全部）を備えなくてもよい。
【０１７９】
なお、本発明は、上述した実施形態に限定されることなく、本発明の趣旨を逸脱しない範囲において、適宜、種々の改良および設計の変更が可能である。
【０１８０】
例えば、本発明の一態様に係る防護服は、マスクをさらに備え、マスクの接続部は、多重構造を有してよい。
【０１８１】
また、本発明の一態様に係る防護服は、マスクを内側に内包するように、マスクを備えてよい。
【０１８２】
また、本発明の一態様に係る防護服は、防護服の着用者の頭部に対応する位置に設けられる帽体をさらに備え、帽体は、硬質材料で構成されてよい。
【０１８３】
また、本発明の一態様に係る防護服において、帽体の内側には複数のスペーサーが設けられてよい。
【０１８４】
また、本発明の一態様に係る防護服は、帽体を内側に内包するように、帽体を備えてよい。
【０１８５】
また、本発明の一態様に係る防護服において、保冷部は、粗さの異なる二以上の網目状材であるメッシュ状の冷却布から構成されてよい。
【０１８６】
また、本発明の一態様に係る防護服において、筺体には、パッド部が配設されていると共に、筺体外部の空気を送風手段に取り込むための吸気口が設けられていてよい。
【符号の説明】
【０１８７】
１００              防護服
１０１              ファスナー
１０２              帽体
１０３              スペーサー
１１０              冷却装置
１２０              保冷部
１３０              連通手段
１１１              筐体
１１２              冷却部
１１３              送風手段
１１４              電源部
１１５              吹出口
１１６              断熱材
１１７              パッド部
１１８              吸気口
２０１              冷却フィン
２０２              ケース
２０３              注入口
２０４              冷却剤
３００              体表面
３０７              ヘルメット部
３３０              ヘルメットマスク
４００              空間
５００              マスク
１，２１，４１，６２    腕部
１１，３１，５１，７２    脚部
６３、７３          固定部材
６４                連結部（腕連結部）
７４                連結部（脚連結部）
６８ａ、６８ｂ、７８ａ、７８ｂ    当接部材
８１、８２          ジョイント（ジョイント部）
【図１】
2015063785.tif 000003
【図２】
2015063785.tif 000004
【図３】
2015063785.tif 000005
【図４】
2015063785.tif 000006
【図５】
2015063785.tif 000007
【図６】
2015063785.tif 000008
【図７】
2015063785.tif 000009
【図８】
2015063785.tif 000010
【図９】
2015063785.tif 000011
【図１０】
2015063785.tif 000012
【図１１】
2015063785.tif 000013
【図１２】
2015063785.tif 000014
【図１３】
2015063785.tif 000015
【図１４】
2015063785.tif 000016
【図１５】
2015063785.tif 000017
【図１６】
2015063785.tif 000018
【図１７】
2015063785.tif 000019
【図１８】
2015063785.tif 000020
【図１９】
2015063785.tif 000021
【図２０】
2015063785.tif 000022
【図２１】
2015063785.tif 000023
【図２２】
2015063785.tif 000024
【図２３】
2015063785.tif 000025
【図２４】
2015063785.tif 000026
【図２５】
2015063785.tif 000027
【図２６】
2015063785.tif 000028
【図２７】
2015063785.tif 000029
【図２８】
2015063785.tif 000030
【図２９】
2015063785.tif 000031
【図３０】
2015063785.tif 000032
【図３１】
2015063785.tif 000033
【図３２】
2015063785.tif 000034
【図３３】
2015063785.tif 000035
【図３４】
2015063785.tif 000036
【手続補正書】
【提出日】平成27年1月8日(2015.1.8)
【手続補正１】
【補正対象書類名】特許請求の範囲
【補正対象項目名】全文
【補正方法】変更
【補正の内容】
【特許請求の範囲】
【請求項１】
吸入した空気を冷却するための冷却装置を備えた防護服であって、
前記冷却装置は、
装置本体を形成する筺体と、
前記筺体内部に着脱自在に配設され、流入された空気を冷却する冷却部と、
前記冷却部に接続され、前記筺体外部から吸入した空気を、当該冷却部を介して送風する送風手段と、
前記筺体内部に配設され、前記送風手段を駆動させるための電源部と、
前記筺体の内外を貫通して配設され、前記筺体内部側に位置する端部に接続された前記冷却部から送風される冷却された空気を、前記筺体外部側に位置する端部から放出する吹出口と、
前記筺体内部に設けられ、前記冷却部を覆うように配置される断熱材と
を備え、
前記冷却部は、
長手方向の両端部に開口を有した中空構造からなり、内部の短手方向に沿って交互に傾斜した複数の隔壁を有する冷却フィンと、
前記冷却フィンの外周を覆うように配設されるケースと、
前記冷却フィンとケースとの間に介在するように充填され、前記冷却フィン内を通過する空気を冷却するための冷却剤とを備え、
前記冷却剤は、凍結性ゲルを含み、
前記冷却剤は、前記凍結性ゲルに、少なくともケイ素、ストロンチウム、マグネシウム、ユーロピウムおよびジスプロシウムを必須元素とし、少なくともケイ素酸化物、炭酸ストロンチウム、酸化マグネシウム、酸化ユーロピウムおよび酸化ジスプロシウムを焼成して得られる組成物を、所定の比率で配合したものであることを特徴とする防護服。
【請求項２】
吸入した空気を冷却するための冷却装置を備えた防護服であって、
前記冷却装置は、
装置本体を形成する筺体と、
前記筺体内部に着脱自在に配設され、流入された空気を冷却する冷却部と、
前記冷却部に接続され、前記筺体外部から吸入した空気を、当該冷却部を介して送風する送風手段と、
前記筺体内部に配設され、前記送風手段を駆動させるための電源部と、
前記筺体の内外を貫通して配設され、前記筺体内部側に位置する端部に接続された前記冷却部から送風される冷却された空気を、前記筺体外部側に位置する端部から放出する吹出口と、
前記筺体内部に設けられ、前記冷却部を覆うように配置される断熱材と
を備え、
前記冷却部は、
長手方向の両端部に開口を有した中空構造からなり、内部の短手方向に沿って交互に傾斜した複数の隔壁を有する冷却フィンと、
前記冷却フィンの外周を覆うように配設されるケースと、
前記冷却フィンとケースとの間に介在するように充填され、前記冷却フィン内を通過する空気を冷却するための冷却剤とを備え、
前記冷却フィンの前記短手方向に沿って交互に傾斜した複数の隔壁は、各々断面矩形状をなしており、平面に対して直交する鉛直方向に拡大された巾広構造になっていることを特徴とする防護服。
【請求項３】
吸入した空気を冷却するための冷却装置を備えた防護服であって、
前記冷却装置は、
装置本体を形成する筺体と、
前記筺体内部に着脱自在に配設され、流入された空気を冷却する冷却部と、
前記冷却部に接続され、前記筺体外部から吸入した空気を、当該冷却部を介して送風する送風手段と、
前記筺体内部に配設され、前記送風手段を駆動させるための電源部と、
前記筺体の内外を貫通して配設され、前記筺体内部側に位置する端部に接続された前記冷却部から送風される冷却された空気を、前記筺体外部側に位置する端部から放出する吹出口と、
前記筺体内部に設けられ、前記冷却部を覆うように配置される断熱材と
を備え、
前記冷却部は、
長手方向の両端部に開口を有した中空構造からなり、内部の短手方向に沿って交互に傾斜した複数の隔壁を有する冷却フィンと、
前記冷却フィンの外周を覆うように配設されるケースと、
前記冷却フィンとケースとの間に介在するように充填され、前記冷却フィン内を通過する空気を冷却するための冷却剤とを備え、
前記防護服の着用者の腕に対応する位置に設けられる腕部と、
前記腕部に取り付けられる手袋とをさらに備え、
前記腕部の袖には、複数のスペーサーが設けられることを特徴とする防護服。
【請求項４】
吸入した空気を冷却するための冷却装置を備えた防護服であって、
前記冷却装置は、
装置本体を形成する筺体と、
前記筺体内部に着脱自在に配設され、流入された空気を冷却する冷却部と、
前記冷却部に接続され、前記筺体外部から吸入した空気を、当該冷却部を介して送風する送風手段と、
前記筺体内部に配設され、前記送風手段を駆動させるための電源部と、
前記筺体の内外を貫通して配設され、前記筺体内部側に位置する端部に接続された前記冷却部から送風される冷却された空気を、前記筺体外部側に位置する端部から放出する吹出口と、
前記筺体内部に設けられ、前記冷却部を覆うように配置される断熱材と
を備え、
前記冷却部は、
長手方向の両端部に開口を有した中空構造からなり、内部の短手方向に沿って交互に傾斜した複数の隔壁を有する冷却フィンと、
前記冷却フィンの外周を覆うように配設されるケースと、
前記冷却フィンとケースとの間に介在するように充填され、前記冷却フィン内を通過する空気を冷却するための冷却剤とを備え、
前記防護服の着用者の脚に対応する位置に設けられる脚部と、
前記脚部に取り付けられる長靴とをさらに備え、
前記脚部の裾には、複数のスペーサーが設けられることを特徴とする防護服。
【請求項５】
外部環境の影響から着用者を防護する防護服であって、
吸入した空気を冷却するための冷却装置を備え、
前記冷却装置は、
前記吸入した空気を冷却する冷却部と、
電源部から供給される電力によって駆動され、前記吸入した空気を、筐体内外を貫通する吹出口に前記冷却部を介して導く送風手段とを備え、
前記冷却部は、断熱材に覆われているとともに、前記冷却装置の筐体内部に着脱自在に設けられており、
前記冷却部は、長手方向の両端部に開口を設けた中空構造を有し、短手方向に沿って交互に傾斜した複数の隔壁を備えた冷却フィンと、前記冷却フィンの外周を覆うように配設されるケースと、前記冷却フィンと前記ケースとの間に充填され、前記冷却フィンの内部を通過する空気を冷却する冷却剤とを含み、
前記冷却剤は、凍結性ゲルを含み、
前記冷却剤は、前記凍結性ゲルに、少なくともケイ素、ストロンチウム、マグネシウム、ユーロピウムおよびジスプロシウムを必須元素とし、少なくともケイ素酸化物、炭酸ストロンチウム、酸化マグネシウム、酸化ユーロピウムおよび酸化ジスプロシウムを焼成して得られる組成物を、所定の比率で配合したものであることを特徴とする防護服。
【請求項６】
外部環境の影響から着用者を防護する防護服であって、
吸入した空気を冷却するための冷却装置を備え、
前記冷却装置は、
前記吸入した空気を冷却する冷却部と、
電源部から供給される電力によって駆動され、前記吸入した空気を、筐体内外を貫通する吹出口に前記冷却部を介して導く送風手段とを備え、
前記冷却部は、断熱材に覆われているとともに、前記冷却装置の筐体内部に着脱自在に設けられており、
前記冷却部は、長手方向の両端部に開口を設けた中空構造を有し、短手方向に沿って交互に傾斜した複数の隔壁を備えた冷却フィンと、前記冷却フィンの外周を覆うように配設されるケースと、前記冷却フィンと前記ケースとの間に充填され、前記冷却フィンの内部を通過する空気を冷却する冷却剤とを含み、
前記冷却フィンの前記短手方向に沿って交互に傾斜した複数の隔壁は、各々断面矩形状をなしており、平面に対して直交する鉛直方向に拡大された巾広構造になっていることを特徴とする防護服。
【請求項７】
外部環境の影響から着用者を防護する防護服であって、
吸入した空気を冷却するための冷却装置を備え、
前記冷却装置は、
前記吸入した空気を冷却する冷却部と、
電源部から供給される電力によって駆動され、前記吸入した空気を、筐体内外を貫通する吹出口に前記冷却部を介して導く送風手段とを備え、
前記冷却部は、断熱材に覆われているとともに、前記冷却装置の筐体内部に着脱自在に設けられており、
前記冷却部は、長手方向の両端部に開口を設けた中空構造を有し、短手方向に沿って交互に傾斜した複数の隔壁を備えた冷却フィンと、前記冷却フィンの外周を覆うように配設されるケースと、前記冷却フィンと前記ケースとの間に充填され、前記冷却フィンの内部を通過する空気を冷却する冷却剤とを含み、
前記防護服の着用者の腕に対応する位置に設けられる腕部と、
前記腕部に取り付けられる手袋とをさらに備え、
前記腕部の袖には、複数のスペーサーが設けられることを特徴とする防護服。
【請求項８】
外部環境の影響から着用者を防護する防護服であって、
吸入した空気を冷却するための冷却装置を備え、
前記冷却装置は、
前記吸入した空気を冷却する冷却部と、
電源部から供給される電力によって駆動され、前記吸入した空気を、筐体内外を貫通する吹出口に前記冷却部を介して導く送風手段とを備え、
前記冷却部は、断熱材に覆われているとともに、前記冷却装置の筐体内部に着脱自在に設けられており、
前記冷却部は、長手方向の両端部に開口を設けた中空構造を有し、短手方向に沿って交互に傾斜した複数の隔壁を備えた冷却フィンと、前記冷却フィンの外周を覆うように配設されるケースと、前記冷却フィンと前記ケースとの間に充填され、前記冷却フィンの内部を通過する空気を冷却する冷却剤とを含み、
前記防護服の着用者の脚に対応する位置に設けられる脚部と、
前記脚部に取り付けられる長靴とをさらに備え、
前記脚部の裾には、複数のスペーサーが設けられることを特徴とする防護服。
【請求項９】
前記防護服は、前記冷却装置を当該防護服の内側に内包するように、当該冷却装置を備えたことを特徴とする請求項１から８のいずれか１項に記載の防護服。
【請求項１０】
前記冷却部は、空気を取り込む吸気口に接続されており、
前記冷却装置は、前記送風手段によって前記吸気口から取り込まれた空気が、前記冷却部から当該送風手段を経由して、前記吹出口に吹き出される構造を有していることを特徴とする請求項１から９のいずれか１項に記載の防護服。
【請求項１１】
前記冷却フィンの前記短手方向に沿って交互に傾斜した複数の隔壁は、鋸刃形状をなしているとともに、平面に対して直交する鉛直方向に積層された多段構造になっていることを特徴とする請求項１から１０のいずれか１項に記載の防護服。
【請求項１２】
前記冷却部は、前記冷却フィンの両端部に、それぞれジョイント部を介して前記送風手段と、吸気口または前記吹出口とが接続可能となっていることを特徴とする請求項１から１１のいずれか１項に記載の防護服。
【請求項１３】
マスクと前記防護服の着用者の頭部に対応する位置に設けられる帽体とが、一体的に構成されたヘルメットマスクをさらに備えたことを特徴とする請求項１から１２のいずれか１項に記載の防護服。
【請求項１４】
前記腕部と前記手袋とが互いに当接する当接部材を含む腕連結部をさらに備え、
前記腕連結部は、前記当接部材を互いに嵌め合わせることによって、または、当該当接部材に設けられた固定部材を用いて固定することによって、前記手袋を前記腕部に着脱自在に連結することを特徴とする請求項３または７に記載の防護服。
【請求項１５】
前記腕部の袖は、外袖および内袖の多重構造を有していることを特徴とする請求項３または７に記載の防護服。
【請求項１６】
前記脚部と前記長靴とが互いに当接する当接部材を含む脚連結部をさらに備え、
前記脚連結部は、前記当接部材を互いに嵌め合わせることによって、または、当該当接部材に設けられた固定部材を用いて固定することによって、前記長靴を前記脚部に着脱自在に連結することを特徴とする請求項４または８に記載の防護服。
【請求項１７】
前記脚部の裾は、外裾および内裾の多重構造を有していることを特徴とする請求項４または８に記載の防護服。
【請求項１８】
前記防護服は、遮熱効果および／または断熱効果を発揮する所定の素材を用いて製作されることを特徴とする請求項１から１７のいずれか１項に記載の防護服。
【請求項１９】
前記冷却装置によって冷却された空気を前記防護服の内部に循環させるために、当該冷却された空気を一時的に蓄積する保冷部をさらに備えたことを特徴とする請求項１から１８のいずれか１項に記載の防護服。
【請求項２０】
前記冷却装置と前記保冷部とを連通する連通手段をさらに備えたことを特徴とする請求項１９に記載の防護服。
【請求項２１】
前記保冷部は、前記防護服の着用者の首周辺、肩胸周辺、および／または腰周辺に対応する位置に設けられることを特徴とする請求項１９または２０に記載の防護服。
【請求項２２】
前記送風手段は、ファンの回転速度を変化させることによって、前記冷却された空気が前記吹出口から吹き出される量を調節可能であることを特徴とする請求項１から２１のいずれか１項に記載の防護服。
【請求項２３】
前記筺体には、パッド部が配設されていることを特徴とする請求項１から２２のいずれか１項に記載の防護服。
【請求項２４】
前記冷却装置の使用者に給水する水を貯水可能な水筒部をさらに備えたことを特徴とする請求項１から２３のいずれか１項に記載の防護服。